(57)【要約】【課題】ちりとりで掃きとったゴミを即座にワンタッチで袋に入れることができるちりとりを提供する。【解決手段】ちりとり本体に開閉かつ係止可能な蓋を有する排出部と、袋を保持するための保持部を設けたことを特徴とする。【選択図】  図１
2004167180.tif 000002
【特許請求の範囲】
【請求項１】
ちりとり本体に排出部と袋を保持するための保持部を設け、該排出部に開閉可能な蓋を設けたことを特徴とするちりとり。
【請求項２】
本体に蓋を係止できる様係止部を設けたことを特徴とする請求項１記載のちりとり。
【請求項３】
持ち手部が長さ調節機構を有していることを特徴とする請求項１あるいは請求項２記載のちりとり。
【発明の詳細な説明】
【０００１】
【発明の属する技術分野】
本発明はほうき等で清掃する際に使用するちりとりに関するものである。
【０００２】
【従来の技術】
ほうきで集めたゴミをちりとりでとりまとめゴミ箱に入れていた。
また、すでにちりとりに開口部を設け、ゴミ袋もしくは持ち手付き袋とちりとりを一体化して使用する考案はあったが、ゴミが再びちりとり口付近まで逆戻りしたり、枯れ葉などの大量もしくは大きめのゴミを扱えるちりとりはなかった。
【０００３】
【特許文献１】
特開平１１−２４４２１２公報
【特許文献２】
特開２０００−２０１８７８公報
【特許文献３】
特開２０００−３４２５０４公報
【特許文献４】
特開平０９−１０８１５７公報
【特許文献５】
特開平１０−２７６９５９公報
【０００４】
【発明が解決しようとする課題】
これは次のような欠点があった。
（イ）ほうきでゴミを集めてちりとりがいっぱいになると、その都度ゴミ箱に入れるので手間がかかる。
（ロ）ちりとりでとったゴミの量が多すぎると、ゴミ箱に入りきれずにゴミ箱の口からこぼれてしまい、再びほうきで集める手間がある。
（ハ）風がある時はほうきで集めたゴミが風に飛ばされやすく、ゴミ箱にも入れにくい。
（ニ）広範囲に渡って複数の場所でゴミを集めると、その都度ゴミ箱を持ち歩くか、ゴミ箱までゴミを持っていく手間がある。
（ホ）ゴミをほうきで集めてゴミ箱に入れる時にほこりが舞い上がる。
（ヘ）ゴミ箱に入っているゴミを再びゴミ袋に入れないと集積所にだせないので手間がかかる。
（ト）ゴミ袋に直接ゴミを入れる時にはゴミ袋が不安定な状態にあるため、片手で押さえていなければならない。
（チ）従来のちりとりとゴミ袋を一体化させるちりとりは、ほうきで掃きとったゴミがちりとり口に逆戻りしてしまう。
（リ）従来のちりとりとゴミ袋を一体化させるちりとりは、ゴミ排出部が小さいので大きなゴミは取り扱えない。
（ヌ）従来のちりとりとゴミ袋を一体化させるちりとりは、袋をつけない通常のちりとりとして使用できず、形状も異なるので、製造工程が大きくかわってしまう。
本発明は、これらの欠点を除くためになされたものである。
【０００５】
【課題を解決するための手段】
ちりとり本体に排出部を設け、袋を保持するための保持部を設ける。
排出部には開閉可能な蓋を設ける。
本体に排出部の開閉可能な蓋を係止する係止部を設ける。
本発明は以上のような構成よりなる清掃用具である。
【０００６】
【発明の実施の形態】
ちりとり本体に排出部と袋を保持するための保持部を設け該排出部に開閉可能で、本体に係止できる蓋を設ける。
以下図１に基づき各部について詳細に説明する。
【０００７】
保持部は切り込み状、或いは穴状等、袋を保持できるものであれば、どんな保持方法でもかまわない。
保持部は本体複数箇所に設けることで袋が引っ張られる様にすると、ちりとり本体と袋の間に隙間が生じない様にすることができる。
【０００８】
排出部はちりとり本体後壁部に設け、該排出部は開口状態でゴミが排出できる形状ならば、どの様な形状でもかまわない。
【０００９】
蓋は排出部上部に連結し、底部方向が開閉可能に設ける。連結方法については開閉可能な状態であればどの様な方法でも構わない。
【００１０】
係止部は凸状、或いは穴状等、ちりとり本体と開閉可能な蓋が係止できるものであればどんな係止方法でもかまわない。
【００１１】
排出部（１４）及び蓋下辺部は、ちりとり本体の底板部から任意スペース（１３）を介した高さに設けることにより、本発明を、袋を取り付けない通常のちりとりとして使用する時、地面にちりとりを置いた時、蓋が持ち上がるのを防ぐことができる。
【００１２】
図８に示す様に、持ち手Ａ（１）に持ち手Ｂ（９）を取り付けることによって持ち手が長さ調節機能を有することができる。長さ調節機構については調節可能な構造であれば、どの様な方法でも構わない。
【００１３】
図９に示す様に、予備袋を携帯するための保管部を設けてもよい。ちりとり上部壁面に袋をゴム材等を掛ける引掛部を設ける等、ちりとり本体に袋を係止できるものであればどの様なものでもかまわない。
本発明は以上の構成よりなっている。
【００１４】
以下、本発明の使用例について説明する。
図３に示す様に持ち手がある袋を使用する時は、袋を広げちりとり本体の後部からちりとりを被う様に袋をかぶせ、保持部Ａ（２）と保持部Ｂ（３）に袋の持ち手部分を差し込みちりとりと袋を一体化させる。
小さめの持ち手付き袋を使用する時は、ちりとり本体の後部からちりとりを被う様に袋をかぶせ、保持部Ａ（２）に持ち手部分を差し込みちりとりと袋を一体化させる。
大きい持ち手付き袋を使用する時は、ちりとり本体の後部からちりとりを被う様に袋をかぶせ、保持部Ａ（２）と保持部Ｂ（３）に持ち手部分を差し込み、ちりとり上部と袋の間に隙間が開く時は保持部Ｄ（１０）にちりとり上部の余分な袋の端を差し込み、ちりとりと袋を一体化させる。
【００１５】
図４に示す様に持ち手のない袋を使用する時は袋を広げ、ちりとり本体の後部からちりとりを被う様に袋をかぶせ、ちりとりの外側から保持部Ｃ（６）に袋の端を通し保持部Ａ（２）に差し込む。ちりとり上部と袋の間に隙間が開く時は保持部Ｄ（１０）にちりとり上部の余分な袋の端を差し込み、ちりとりと袋を一体化させる。これら袋を保持する時は、蓋が本体に係止されている場合は、予めはずしておくことが必要である。
【００１６】
袋の装着が完成したら、図５に示す様に、ほうきでゴミをかきあつめ袋と一体化したちりとり本体を床面に置き、ごみを掃き込み口（５）から掃き入れる。
【００１７】
ちりとりにある程度ゴミが集まったら図６に示す様に、ちりとりの持ち手を持って、掃き込み口（５）を上に向けると、開閉自在の蓋（４）が重力で自動的に開いてゴミが袋の中に落ちる。
【００１８】
例えば図２に示す様に蓋（４）についている把手（７）を持ち上げ、係止部Ａ（１１）を係止部Ｂ（１２）を挿入すると開閉自在の蓋がちりとり本体に係止でき、袋をつけない通常のちりとりとしても使用することができる。
【００１９】
【発明の効果】
（イ）排出部に開閉可能な蓋を設けることにより、ほうきで掃きとったゴミが、ちりとりの掃き込み口を上に向けるだけで、蓋の自重叉はゴミの重さ等で蓋が自動的に開いてゴミが袋の中に落ち、ゴミが袋に入った時点でちりとりを再び地面に置くと自動的に蓋が閉るので、袋の中に入ったゴミの逆戻りを防ぐことができる。
また、保持部Ａ（２）、保持部Ｂ（３）、保持部Ｃ（６）、保持部Ｄ（１０）を設け複数の方向から袋を引っ張る構造にすることで、ちりとりと袋の間に隙間が開かず、一度ゴミ袋に入ったゴミが袋とちりとりの隙間からこぼれにくくすることができる。
（ロ）従来の一般的なちりとりの形態を大きく崩すことのない構造なので、掃き込み口とゴミ排出口が広く、掃き採るゴミの量が多くても容易にちりとり本体に掃き込むことができ、排出口から袋にゴミがこぼれずに落ちる。
（ハ）ちりとり本体とゴミ袋を一体化してゴミを掃き採り、ちりとりの掃き込み口を上に向けるだけでゴミが袋の中に落ちるので、集めたゴミが風に飛ばされずにゴミ袋に入る。
（ニ）複数の場所にゴミがあっても、ちりとりとゴミ袋が一体化しているのでゴミ箱を持ち歩いたり、ゴミをゴミ箱に入れるために歩き回らなくてもよい。
（ホ）ゴミがゴミ袋に入った後、ちりとりを元の位置に戻すことによりすぐに蓋が閉るので、ほこりが舞い上がらない。
（ヘ）スーパーでもらった袋も使えるので、袋のリユースにもなる。
（ト）ちりとりに掃き入れそのままゴミをゴミ袋に入れられるので、いちいち、ちりとりからゴミ箱またはゴミ袋等に移し変える手間がなく、そのままゴミ集積所に出せる。
（チ）開閉自在の蓋（４）が弁の役目をしているので、袋の中に落としたゴミのちりとりへの逆戻りを防げる。
（リ）排出部を大きくすることで、多少大きめのゴミでもちりとりで掃きとり、排出部からゴミ袋にスムーズに落とすことができる。
（ヌ）開閉可能な蓋部を本体に係止できるので、ゴミ袋をつけない通常のちりとりとしても使用可能である。
（ル）従来のちりとり本体に保持部、係止部、排出口を設け、排出部と蓋が同一箇所にあり構造がシンプルなので、従来のちりとりの製造工程を大きく変える必要がない。
【図面の簡単な説明】
【図１】本発明の斜視図である。
【図２】本発明の背面図である。
【図３】本発明の実施例を示す図である。
【図４】本発明の実施例を示す図である。
【図５】本発明の実施例を示す斜視図である。
【図６】本発明の実施例を示す斜視図である。
【図７】本発明の斜視図である。
【図８】本発明の斜視図である。
【図９】本発明の他の実施例を示す背面図である。
【符号の説明】
１  持ち手Ａ
２  保持部Ａ
３  保持部Ｂ
４  蓋
５  掃き込み口
６  保持部Ｃ
７  把手
８  保管部
９  持ち手Ｂ
１０  保持部Ｄ
１１  係止部Ａ
１２  係止部Ｂ
１３  スペース
１４  排出部
【図１】
2004167180.tif 000003
【図２】
2004167180.tif 000004
【図３】
2004167180.tif 000005
【図４】
2004167180.tif 000006
【図５】
2004167180.tif 000007
【図６】
2004167180.tif 000008
【図７】
2004167180.tif 000009
【図８】
2004167180.tif 000010
【図９】
2004167180.tif 000011